【手続補正書】
【提出日】平成16年12月3日(2004.12.3)
【手続補正１】
【補正対象書類名】特許請求の範囲
【補正対象項目名】全文
【補正方法】変更
【補正の内容】
【特許請求の範囲】
【請求項１】
医療機器型式を示す計算装置から識別情報を受信する工程と、
該識別情報に基づき計算装置にプロトコル構成要素を転送する工程と、
該プロトコル構成要素を介して医療機器と通信する計算装置に応えて医療機器から測定データを受信する工程と
を含むことを特徴とする、計算装置に操作可能に結合される医療機器にアクセスする方法。 
【請求項２】
医療機器の医療機器型式を示す識別情報を計算装置から受信する工程と、
計算装置に、複数のプロトコル構成要素から、計算装置が医療機器と通信するために使用するためにプロトコル構成要素を特定するプロトコル構成要素情報を提供する工程と、
プロトコル構成要素情報により特定される該プロトコル構成要素を介して医療機器と通信する計算装置に応えて医療機器からデータを受信する工程と
を含むことを特徴とする、計算装置に操作可能に結合される医療機器にアクセスする方法。 
【請求項３】
医療機器で使用するためのプロトコル構成要素が決定される識別情報を計算装置に提供する工程と、
計算装置に識別情報を提供することに応えて計算装置から適切なプロトコル構成要素を受信する工程と、
適切なプロトコル構成要素を介して医療機器と通信する工程と
を含むことを特徴とする医療機器へのアクセスを計算装置に提供する方法。 
【請求項４】
医療機器に関連付けられるネットワークアドレスを介して、計算装置との通信を確立する工程と、
複数のプロトコル構成要素から医療機器と通信するための該プロトコル構成要素を特定するプロトコル構成要素情報を計算装置から受信する工程と、
プロトコル構成要素情報により特定されるプロトコル構成要素を介して医療機器と通信する工程と
を含むことを特徴とする、計算装置に医療機器へのアクセスを提供する方法。 
【請求項５】
複数の医療機器によりサポートされている複数の通信プロトコルにしたがい、複数の医療機器と通信するように第２計算装置を構成する複数のプロトコル構成要素を備える記憶装置と、
記憶装置およびネットワークに使用可能に結合されるトランスポートエージェントであって、前記第２計算装置に使用可能に結合される特定の医療機器と関連付けられる識別情報を第２計算装置から受信し、記憶装置の複数のプロトコル構成要素から、特定の医療機器との通信のために第２計算装置を構成するためのプロトコル構成要素を選択し、複数のプロトコル構成要素から選択されるプロトコル構成要素をネットワークを介して第２計算装置に転送するように適応されるトランスポートエージェントと、
を備えることを特徴とする、第２計算装置に操作可能に結合される医療機器にネットワークを介してアクセスする第１計算装置。 
【請求項６】
複数の医療機器によりサポートされている通信プロトコルにしたがい複数の医療機器と通信するように第２計算装置を構成する複数のプロトコル構成要素を備える記憶装置と、
複数の命令を備えるメモリと、
ネットワークを介して第２計算装置と通信するように適応されるネットワークインタフェースと、
記憶装置、メモリ、およびネットワークインタフェースに操作可能に結合され、複数の命令を実行し、プロセッサに、
第２計算装置に結合される医療機器の医療機器型式が決定される識別情報を、ネットワークインタフェースを解して第２計算装置から受信させ、
第２計算装置が医療機器と通信するために使用するための複数のプロトコル構成要素から該プロトコル構成要素を特定するプロトコル構成要素情報を、ネットワークインタフェースを介して第２計算装置に提供させ、
プロトコル構成要素情報により特定される該プロトコル構成要素を介して医療機器と通信する第２計算装置に応えてネットワークインタフェースを介して医療機器から測定データを受信させるように適応されるプロセッサと
を備えることを特徴とする、ネットワークを介して第２計算装置に操作可能に結合される医療機器にアクセスする第１計算装置。 
【請求項７】
複数の命令を備えるメモリと、
ネットワークを介して第２計算装置と通信するように適応されるネットワークインタフェースと、
医療機器との通信リンクを確立するように適応される医療機器インタフェースと、
メモリ、ネットワークインタフェース、および医療機器インタフェースに操作可能に結合され、複数の命令を実行し、プロセッサに、
医療機器で使用するためのプロトコル構成要素が突き止められる識別情報をネットワークインタフェースを介して第２計算装置に提供させ、
第２計算装置に識別情報を提供することに応えて、ネットワークインタフェースを介して第２計算装置からプロトコル構成要素を受信させ、
医療機器インタフェースを介して医療機器から測定データを取得するためにプロトコル構成要素の命令を実行させ、
医療機器から取得された測定データを、ネットワークインタフェースを介して第２計算装置に転送させるように適応されるプロセッサと
を備えることを特徴とする、ネットワークを介して第２計算装置に医療機器へのアクセスを提供する第１計算装置。 
【請求項８】
医療機器と通信するための複数のプロトコル構成要素から１つのプロトコル構成要素が決定される識別情報を第２計算装置に提供し、医療機器と通信するためにプロトコル構成要素を特定するプロトコル構成要素情報を第２計算装置から受信するように適応されるトランスポートエージェントと、
トランスポートエージェントと通信している更新構成要素であって、プロトコル構成要素情報を受信し、プロトコル構成要素情報により特定されるプロトコル構成要素を第２計算装置から取得するように適応される更新構成要素と
を備えることを特徴とする、ネットワークを介して医療機器へのアクセスを第２計算装置に提供する第１計算装置。 
【請求項９】
記憶装置と、
ウェブブラウザを定義する複数の命令を備えるメモリと、
ネットワークを介して第２計算装置と通信するように適応されるネットワークインタフェースと、
医療機器と通信リンクを確立するように適応される医療機器インタフェースと、
記憶装置、ネットワークインタフェース、およびメモリと使用可能に結合され、メモリの複数の命令を実行し、プロセッサに
医療機器と通信するためのプロトコル構成要素が決定される識別情報を、ネットワークインタフェースを介して第２計算装置に提供させ、
医療機器と通信するために使用されなければならない該プロトコル構成要素を特定するプロトコル構成要素情報を第２計算装置からネットワークインタフェースを介して受信させ、
記憶装置がプロトコル構成要素情報により特定される該プロトコル構成要素を含むかどうかを判断させ、
記憶装置がプロトコル構成要素情報により特定される該プロトコル構成要素を含まない場合にだけ、ネットワークインタフェースを介して第２計算装置からプロトコル構成要素を取得させるように適応されるプロセッサと
を備えることを特徴とする、ネットワークを介して医療機器へのアクセスを第２計算装置に提供する第１計算装置。
【請求項１０】
第１計算装置と、
第１計算装置と通信している第２計算装置であって、医療機器から識別情報を取得し、第１計算装置に識別情報を転送し、医療機器と通信するために第２計算装置により使用されるプロトコル構成要素を特定するプロトコル構成要素情報を第１計算装置から受信し、第２計算装置がすでにプロトコル構成要素情報によって特定される該プロトコル構成要素を有しているかどうかを判断し、第２計算装置がプロトコル構成要素情報により特定されるプロトコル構成要素をすでに有していない場合に、第１計算装置からプロトコル構成要素情報により特定されるプロトコル構成要素を取得するようにされてなる第２計算装置と
を備え、
前記第１計算装置が、第２計算装置から識別情報を受信し、複数のプロトコル構成要素の内のプロトコル構成要素を特定し、第２計算装置にプロトコル構成要素情報を転送し、第２計算装置がプロトコル構成要素情報により特定されるプロトコル構成要素をすでに有していない場合に第２計算装置に該プロトコル構成要素を転送するようにされてなることを特徴とする、医療機器にアクセスを提供するシステム。